(57)【特許請求の範囲】
【請求項１】
収納位置と表示を確認する引出位置とで出し入れ可能なトレイを出し入れするためのトレイ用開口を有する筐体と、
上記筐体の内部に設けられた回路基板とを備えた電子機器であって、
上記トレイの根元側は、幅広となった抜け防止用幅広部が形成されており、
上記トレイ用開口の奥側には、対向する部材との間の隙間で、上記引出位置の上記抜け防止用幅広部が上記トレイの厚さ方向に変形するのを規制する浮き防止部品が設けられており、
上記浮き防止部品は、上記回路基板の少なくとも一部を覆うホルダー部品であり、上記対向する部材との間の上記トレイの厚さ方向の隙間を狭くする突部が形成されている
ことを特徴とする電子機器。
【請求項２】
請求項１に記載の電子機器において、
上記突部は、上記トレイの幅方向に連続して形成されている
ことを特徴とする電子機器。
【請求項３】
請求項１に記載の電子機器において、
上記突部は、上記トレイの幅方向に離散的に形成されている
ことを特徴とする電子機器。
【請求項４】
請求項１から３までのいずれか１つに記載の電子機器において、
上記トレイ用開口の周縁における上記隙間の延長線上には、上記トレイの手前側が当接する膨出部が形成されている
ことを特徴とする電子機器。
【請求項５】
請求項１から４までのいずれか１つに記載の電子機器において、
上記抜け防止用幅広部の隅角部には、一対の変形防止凹部が形成され、
上記一対の変形防止凹部が上記トレイ用開口の周縁に設けた一対の係止用突起に係止して抜け止めされる
ことを特徴とする電子機器。
【発明の詳細な説明】
【技術分野】
【０００１】
本発明は、出し入れ可能なトレイを出し入れするためのトレイ用開口を有する筐体を備えた電子機器に関し、特にトレイの抜け止め構造に関する。
【背景技術】
【０００２】
従来より、出し入れ可能なトレイにラベルの貼付、印刷、刻印等により情報を表示し、通常使用時には筐体内に収納し、表示した情報を確認したいときには、トレイを引き出して確認することが行われている。
【０００３】
例えば、特許文献１の電子機器では、筐体底面に設けたカードホルダーにトレイを収納し、このカードホルダーのトレイ用開口からトレイを出し入れ可能としている。具体的には、トレイの左右に設けた係止凸部をカードホルダーの溝孔内で移動させると共に、溝孔の手前側端部で抜け止めしている。
【先行技術文献】
【特許文献】
【０００４】
【特許文献１】実開昭６２−１００７３９号公報
【発明の概要】
【発明が解決しようとする課題】
【０００５】
近年、スマートフォンなどの小型の電子機器では、ますます小型化が要求されており、トレイもできるだけ薄くする要求がある。
【０００６】
一方で、トレイを薄くすると剛性が低下するため、トレイの表示を確認するトレイ引出位置において強く引っ張ると、トレイが変形して容易に抜け出してしまうという問題がある。
【０００７】
本発明は、かかる点に鑑みてなされたものであり、その目的とするところは、薄型のトレイであっても、容易に抜け出さないようにすることにある。
【課題を解決するための手段】
【０００８】
上記の目的を達成するために、この発明では、表示位置においてトレイを強く引っ張ったときでも、浮き防止部品でトレイの変形を防止することで、トレイが容易に抜け出すことを防止した。
【０００９】
具体的には、本発明では、収納位置と表示を確認する引出位置とで出し入れ可能なトレイを出し入れするためのトレイ用開口を有する筐体と、
上記筐体の内部に設けられた回路基板とを備えた電子機器であって、
上記トレイの根元側は、幅広となった抜け防止用幅広部が形成されており、
上記トレイ用開口の奥側には、対向する部材との間の隙間で、上記引出位置の上記抜け防止用幅広部が上記トレイの厚さ方向に変形するのを規制する浮き防止部品が設けられている。
【００１０】
上記の構成によると、トレイが薄型で剛性が低い場合に、引出位置において強くトレイを引っ張ったとしても、浮き防止部品と対向する部材との間でトレイの変形が規制されるので、トレイの変形による抜け出しが防止される。
【発明の効果】
【００１１】
以上説明したように、本発明によれば、トレイの引出位置において、浮き防止部品によってトレイの変形を規制するようにしたので、薄型のトレイであっても、容易に抜け出さないようにすることができる。
【図面の簡単な説明】
【００１２】
【図１】図２のＩ−Ｉ線拡大断面図である。
【図２】実施形態１に係るスマートフォンを示す斜視図である。
【図３】スマートフォンを示す分解斜視図である。
【図４】トレイを引き出したときの図１相当図である。
【図５】実施形態２に係る図１相当断面図である。
【図６】図５のIV−IV線断面図である。
【図７】表示トレイを最大限引き出した状態を示す図６相当図である。
【図８】実施形態３に係る図１相当断面図である。
【図９】実施形態３に係る図４相当断面図である。
【図１０】実施形態４に係る図１相当断面図である。
【図１１】図１０のXI−XI線断面図である。
【図１２】実施形態４の変形例１に係る図１１相当断面図である。
【図１３】実施形態４の変形例２に係る図１０相当図である。
【図１４】表示トレイが変形した場合を二点鎖線で示した側面図である。
【発明を実施するための形態】
【００１３】
以下、本発明の実施形態を図面に基づいて説明する。
【００１４】
（実施形態１）
図１〜図３は本発明の実施形態１の電子機器としてのスマートフォン１を示し、このスマートフォン１は、例えば、正面側にタッチスクリーンを含む表示部２を収容する筐体３と、その背面側を覆う背面パネル４と、筐体３にインサート成形された板金３ａの背面側に収容された回路基板５と、その背面側の充電池６と、その下側のメインアンテナ組品７とを備えている。
【００１５】
スマートフォン１の例えば、左側面には、脱着可能なエラストマー製などの端子カバー８が設けられている。この端子カバー８は、例えば樹脂成形品よりなる筐体３に設けたトレイ用開口３ｂ、ＳＩＭカード用開口３ｃ、マイクロＳＤ用開口３ｄを密閉状に覆う役割を果たしている。端子カバー８は、防水パッキン９が設けられて防水されている。ＳＩＭカード用開口３ｃの奥側の回路基板５上には、ＳＩＭカード１０を収容するＳＩＭカードソケット１１が設けられ、マイクロＳＤ用開口３ｄの奥側の回路基板５上には、マイクロＳＤ１２を収容するマイクロＳＤソケット１３が設けられている。詳しくは図示しないが、ＳＩＭカード１０は、トレイ状の部材に取り付けられている。
【００１６】
そして、回路基板５の正面側には、実装された複数の電子部品２３の雑音の発生を防ぐ等のために浮き防止部品としてのシールド部品２２が設けられている。シールド部品２２は、例えばステンレス薄板の折り曲げ構造（箱型構造）で構成されている。図３に示すように、シールド部品２２は、例えば、表示トレイ２０と同様に左右方向に長い矩形状となっている。
【００１７】
そして、図１に一部拡大して示すように、板金３ａと、回路基板５に設けたシールド部品２２との間の隙間には、表示トレイ２０がスライド移動可能に収納されている。表示トレイ２０は、例えば、根元側に抜け防止用幅広部２０ａが形成された薄板状のＰＥＴ（ポリエチレンテレフタレート）、ＰＣ（ポリカーボネイト）などの樹脂成形品のシートよりなる。表示トレイ２０には、例えば、製品情報などが記載されたラベル２１が貼り付けられている。このラベル２１の貼付の代わりに印刷、刻印等により表示トレイ２０に情報を記載してもよい。表示トレイ２０は、トレイ用開口３ｂから出し入れ（抜き差し）可能となっている。板金３ａと、回路基板５に設けたシールド部品２２との間の隙間Ｃは、本実施形態ではほぼ一定であるが、この隙間Ｃは少なくとも表示トレイ２０がスライド移動可能な程度に確保されていればよい。
【００１８】
そして、表示トレイが図４に示す引出位置にあるときには、抜け防止用幅広部２０ａとその対向する部材である板金３ａとの間の寸法Ｘは、抜け防止用幅広部２０ａの厚さｔの２倍以下で好ましくは１．５倍以下となっている。表示トレイ２０の厚さｔは、例えば、ｔ＝０．１〜０．２ｍｍとし、寸法Ｘは、例えばＸ＝０．１５ｍｍとする。なお、本実施形態では、寸法Ｘと隙間Ｃとがほぼ同じ大きさとなっているが、隙間Ｃの大きさは、寸法Ｘよりも大きくてよい。
【００１９】
また、図１及び図４に示すように、トレイ用開口３ｂの周縁における隙間Ｃの延長線上には、表示トレイ２０の手前側が当接する膨出部３ｅが形成されている。膨出部３ｅの形状は、表示トレイ２０の手前側が持ち上がるような形状であればよく、トレイ用開口３ｂに連続するか、トレイ用開口３ｂの近傍に設けられているのが望ましい。図４に示すように、表示トレイ２０を引き出す際には、この膨出部３ｅによって表示トレイ２０が湾曲しながら引き出される。一方、表示トレイ２０の中間部分は、板金３ａとシールド部品２２との間で隙間に余裕があるので、表示トレイ２０の引出を阻害することはない。すなわち、収納位置から引出位置の間では、表示トレイ４０は滑らかにスライド移動できればよく、変形を規制されるのは、引出位置のみでよい。
【００２０】
図４に示す最大引出時（引出位置）には、シールド部品２２と表示トレイ２０の根元側との重なり合う範囲Ｌが、例えば、引出位置において表示トレイ２０を無理に引き抜こうとしたとき、所定荷重以下ではＬ＞０を保つことができる寸法を確保されているのが望ましい。引出位置において隙間を狭めることで変形を規制する寸法がＸである領域の幅は、少なくとも表示トレイ２０の幅の半分以上あればよい。半分以上ない場合であっても、表示トレイ２０の幅方向中間部がシールド部品２２で押さえられていればよい。
【００２１】
ところで、図１４に表示トレイ２０、シールド部品２２及びその周辺を拡大して示すように、シールド部品２２がない場合には、表示トレイ２０を無理矢理強く引っ張ると、表示トレイ２０は薄くて剛性が低いので、二点鎖線に示すように山形に変形しようとする。しかし、本実施形態では、図４に示すように、表示トレイ２０が薄型で剛性が低い場合に強く表示トレイ２０を引っ張ったとしても、シールド部品２２と板金３ａとの間の狭い隙間で表示トレイ２０がそれ以上変形しないので、表示トレイ２０の変形による抜け出しが防止される。
【００２２】
また、浮き防止部品を回路基板５に実装された電子部品を覆うシールド部品２２としたので、従来より雑音防止等のために必要となっているシールド部品２２を浮き防止部品として利用することができ、部品点数を増やすことなく、表示トレイ２０の抜け止め効果を発揮させることができる。
【００２３】
さらに、表示トレイ２０を引き出すときに膨出部３ｅによって表示トレイ２０が曲げられても、板金３ａとシールド部品２２とで表示トレイ２０が挟み込まれているので、変形して抜け出すことはない。膨出部３ｅによって折り曲げられることで、折り曲げられない場合に比べて摩擦抵抗が増し、さらに抜けにくくなっている。
【００２４】
したがって、本実施形態に係るスマートフォン１によると、薄型の表示トレイ２０であっても、容易に抜け出さないようにすることができる。
【００２５】
また、膨出部３ｅを設けることで表示トレイ２０の手前側が、トレイ用開口３ｂから持ち上がっているので、表示トレイ２０を掴みやすく、そのため、表示トレイ２０を引き出しやすい。
【００２６】
（実施形態２）
図５〜図７は、本発明の実施形態２を示し、浮き上がり防止構造が異なる点で上記実施形態１と異なる。なお、以下の各実施形態では、図１〜図４と同じ部分については同じ符号を付してその詳細な説明は省略する。
【００２７】
本実施形態の表示トレイ１２０の根元側にも幅広となった抜け防止用幅広部２０ａが形成されており、その隅角部（手前側の内側角部）には、一対の変形防止凹部１２２が形成されている。これら一対の変形防止凹部１２２がトレイ用開口３ｂの周縁に設けた一対の係止用突起３ｆに係止して抜け止めされる。なお、係止用突起３ｆは筐体３に一体に形成されていてもよいし、別体でもよいが、見やすくするためにハッチングの色を変えている。
【００２８】
このように、本実施形態では、表示トレイ１２０を引き出すときに一対の変形防止凹部１２２が一対の係止用突起３ｆに係止するので、抜け防止用幅広部２０ａの幅が狭くなる方向に表示トレイ２０が図１４で示したように山形には変形せず、表示トレイ２０が効果的に抜け止めされる。
【００２９】
（実施形態３）
図８及び図９は、本発明の実施形態３のスマートフォン２０１を示し、主として浮き防止部品の構成が異なる点で上記各実施形態と異なる。
【００３０】
すなわち、本実施形態では、浮き防止部品は、筐体２０３に固定されるホルダー２２２である。このホルダー２２２の用途は特に限定されないが、例えば、回路基板５を筐体２０３に固定する樹脂成形品よりなるホルダーである。
【００３１】
本実施形態では、対向する部材は、筐体２０３の内面であり、上記各実施形態のように板金３ａである必要はなく、金属製フレームや樹脂成形品よりなる筐体２０３の側壁２０３ａである。なお、この側壁２０３ａは、筐体２０３の一部ではなく、ホルダーなどの他の部品でもよい。
【００３２】
ホルダー２２２のトレイ用開口３ｂ側端部は、他の部位よりも表示部２側へ膨らんでおり、それによって、図９に示すように表示トレイ２０の引出位置において、抜け防止用幅広部２０ａの厚さ方向の変形を防ぐことができる。それによって、表示トレイ２０が薄い場合であっても、図１４に示したような山形の変形によって抜け出すことはない。
【００３３】
（実施形態４）
図１０及び図１１は、本発明の実施形態４のスマートフォン３０１を示し、主として対向する部材の形状が異なる点で上記各実施形態と異なる。
【００３４】
すなわち、本実施形態では、浮き防止部品であるホルダー３２２のトレイ用開口３ｂ側端部には、他の部位よりも表示部２側へ突出する突部３２２ａが形成されている。本実施形態では、突部３２２ａは、表示トレイ２０の幅方向に線状に連続して伸びる突条よりなる。
【００３５】
この突部３２２ａによって上記各実施形態と同様に、図１０に示すように表示トレイ２０の引出位置において、側壁３０３ａと突部３２２ａとの間の隙間で抜け防止用幅広部２０ａの厚さ方向の変形を防ぐことができるので、表示トレイ２０が薄い場合であっても、厚さ方向の変形によって抜け出すことはない。
【００３６】
−実施形態４の変形例１−
図１２は本発明の実施形態４の変形例１を示し、対向する部材の突部３２２ａが異なる点で上記実施形態３と異なる。
【００３７】
すなわち、本変形例では、突部３２２ａが突条ではなく、表示トレイ２０の幅方向に互いに距離を空けて配置された例えば３つの突起よりなる。突起の形状は、特に限定されないが、薄い抜け防止用幅広部２０ａが厚さ方向に変形するのを規制できる位置に突起を設けるとよい。
【００３８】
このように面ではなく、点で抜け防止用幅広部２０ａに接することで、摩擦力を小さくして表示トレイ２０の抜き差し時の不要な摩擦力の増大を防ぐことができる。
【００３９】
−実施形態４の変形例２−
図１３は本発明の実施形態４の変形例２を示し、側壁３０３ａ側の突部３２２ａに対向する位置にも突起３０３ｂが形成されている点で上記実施形態３と異なる。
【００４０】
すなわち、本変形例では、突部３２２ａだけでなく、側壁３０３ａ側にも突起３０３ｂを設けている。突起３０３ｂの形状は、突条でもよいし、離散的に設けた複数の突起でもよい。本変形例のように膨出部３ｅは設けられていなくてもよい。
【００４１】
（その他の実施形態）
本発明は、上記実施形態について、以下のような構成としてもよい。
【００４２】
すなわち、上記実施形態では、浮き防止部品として、シールド部品２２の例を示したが、例えば、回路基板５に設けた他の部品でもよいし、筐体３の一部でもよい。
【００４３】
また、上記実施形態では、表示トレイ２０は、トレイ用開口３ｂから出し入れ可能となっているとしたが、ＳＩＭカード用開口３ｃなど他の開口から出し入れ可能としてもよい。
【００４４】
また、上記実施形態では、表示トレイ２０は平坦な形状を図示したが、例えば、図１のように先端側を膨出部３ｅの形状に沿った形に形成するなど、平坦ではない形状であってもよい。
【００４５】
上記実施形態では、電子機器は、スマートフォン１としたが、携帯電話機、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００４６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４７】
１      スマートフォン（電子機器）
２      表示部
３      筐体
３ａ    板金（対向する部材）
３ｂ    トレイ用開口
３ｃ    ＳＩＭカード用開口
３ｄ    マイクロＳＤ用開口
３ｅ    膨出部
３ｆ    係止用突起
４      背面パネル
５      回路基板
６      充電池
７      メインアンテナ組品
８      端子カバー
９      防水パッキン
１０      ＳＩＭカード
１１      ＳＩＭカードソケット
１２      マイクロＳＤ
１３      マイクロＳＤソケット
２０      表示トレイ
２０ａ    抜け防止用幅広部
２１      ラベル
２２      シールド部品（浮き防止部品）
２３      電子部品
１２０      表示トレイ
１２２    変形防止凹部
２０１      スマートフォン
２０３      筐体
２０３ａ    側壁（対向する部材）
２２２      ホルダー
３０１      スマートフォン
３０３ａ    側壁（対向する部材）
３０３ｂ    突起
３２２      ホルダー
３２２ａ    突部
【図１】
0006590613.tif 000002
【図２】
0006590613.tif 000003
【図３】
0006590613.tif 000004
【図４】
0006590613.tif 000005
【図５】
0006590613.tif 000006
【図６】
0006590613.tif 000007
【図７】
0006590613.tif 000008
【図８】
0006590613.tif 000009
【図９】
0006590613.tif 000010
【図１０】
0006590613.tif 000011
【図１１】
0006590613.tif 000012
【図１２】
0006590613.tif 000013
【図１３】
0006590613.tif 000014
【図１４】
0006590613.tif 000015